(57)【要約】【課題】演出効果を高め、付加価値を高めることが可能な照明装置を提供すること。【解決手段】本発明は、光源３と、この光源３の前面側に配設されたハーフミラー８と、前記光源３とハーフミラー８との間に介在され、光源３側からハーフミラー８に向かって拡開するように形成されているとともに、ハーフミラー８と対向する側に反射面７１を有し、複数の透光性部７２がランダムな配置で形成された反射体７とを具備する照明装置である。【選択図】図３
2013073734.tif 000002
【特許請求の範囲】
【請求項１】
光源と；
この光源の前面側に配設されたハーフミラーと；
前記光源とハーフミラーとの間に介在され、光源側からハーフミラーに向かって拡開するように形成されているとともに、ハーフミラーと対向する側に反射面を有し、複数の透光性部がランダムな配置で形成された反射体と；
を具備することを特徴とする照明装置。
【請求項２】
前記反射面は、多面形状に形成されていることを特徴とする請求項１に記載の照明装置。
【請求項３】
前記光源は、点状光源であることを特徴とする請求項１又は請求項２に記載の照明装置。
【発明の詳細な説明】
【技術分野】
【０００１】
本発明の実施形態は、演出効果を高めることができる照明装置に関する。
【背景技術】
【０００２】
従来、照明装置として例えば、一般住宅用の照明装置においては、天井面等の装置取付面に設置された引掛けシーリングボディにアダプタが電気的かつ機械的に接続され、このアダプタに光源部を有する装置本体が取付けられるようになっている。このような照明装置は、光源部から照射される光によって室内の照明が行われる。
【先行技術文献】
【特許文献】
【０００３】
【特許文献１】特開平７−６５６１７号公報
【発明の概要】
【発明が解決しようとする課題】
【０００４】
しかしながら、生活様式の多様化に伴って、これら照明装置に求められる機能としては、単に、周囲を明るく照らすのみではなく、光をデザインして、演出効果を高め、照明装置として付加価値を高めることが望まれている。
本発明は、上記課題に鑑みなされたもので、演出効果を高め、付加価値を高めることが可能な照明装置を提供することを目的とする。
【課題を解決するための手段】
【０００５】
本発明の実施形態による照明装置は、光源と、この光源の前面側に配設されたハーフミラーとを備えている。
【０００６】
また、前記光源とハーフミラーとの間には反射体が介在されており、この反射体は、光源側からハーフミラーに向かって拡開するように形成されているとともに、ハーフミラーと対向する側に反射面を有し、複数の透光性部がランダムな配置で形成されている。
【発明の効果】
【０００７】
本発明の実施形態によれば、演出効果を高め、付加価値を高めることが可能な照明装置を提供することができる。
【図面の簡単な説明】
【０００８】
【図１】本発明の実施形態に係る照明装置を示す斜視図である。
【図２】同照明装置を示す背面側の斜視図である。
【図３】同照明装置を示す縦断面図である。
【図４】同照明装置における反射体を前面側から見て示す斜視図である。
【図５】同照明装置における反射体を背面側から見て示す斜視図である。
【図６】同照明装置におけるハーフミラーを示す断面図である。
【図７】同照明装置における反射体の透光性部と副光源部の発光素子との位置関係を示す背面側から見た平面図である。
【発明を実施するための形態】
【０００９】
以下、本発明の実施形態について図１乃至図７を参照して説明する。図１乃至図３は、照明装置を示し、図４及び図５は、反射体を示し、図６は、ハーフミラーを示している。また、図７は、反射体と副光源部との位置関係を示している。各図においてリード線等による配線接続関係は省略して示している。なお、同一部分には同一符号を付し、重複した説明は省略する。
【００１０】
本実施形態の照明装置は、装置取付面に設置された配線器具としての引掛けシーリングボディに取付けられて使用される一般住宅用のものであり、基板に実装された複数の発光素子を有する光源部から放射される光によって室内の照明を行うものである。
【００１１】
照明装置は、装置本体１と、主光源部２と、副光源部３と、間接光光源部４と、これら光源部を点灯制御する点灯装置５とを備えている。また、取付部６と、反射体７と、ハーフミラー８と、セード９とを備えている。
【００１２】
さらに、照明装置は、装置取付面としての天井面Ｃに設置された引掛けシーリングボディＣｂに電気的かつ機械的に接続されるアダプタＡ及び赤外線リモコン送信器Ｒｃとを備えている。このような照明装置は、丸形の円形状の外観に形成され、前面側を光の照射面とし、背面側を天井面Ｃへの取付面としている。これらの構成要素について順次説明する。
【００１３】
図１乃至図３に示すように、装置本体１は、冷間圧延鋼板等の金属材料の平板から円形状に形成された熱伝導性を有するシャーシであり、主として図３に示すように、略中央部には、円形状の開口１１が形成されている。また、中間部には、主光源部２が配設される円形環状の平坦部１２が形成されており、この平坦部１２の内周側には、前面側へ段状に突出する円形環状の平坦部１３されている。さらに、平坦部１２の外周側には、背面側へ段状に突出、換言すれば、前面側に凹部を形成する円形環状の突出部１４が形成されている。
【００１４】
突出部１４によって形成される凹部には、セード９が着脱可能に取付けられるセード受金具９５が配置されている。これら段状に形成される平坦部１２、１３や突出部１４は、シャーシの強度を補強する機能や放熱面積を増加する機能を有している。
【００１５】
なお、装置本体１は、本実施形態においては、シャーシが該当するが、ケースやベースと指称されるものであってもよい。一般的には、光源部２が直接的又は間接的に配設される部材や部分を意味しており、格別限定的に解釈されるものではない。
【００１６】
主光源部２は、所定の配光範囲で下方を照明するための光源部であり、図３に示すように、基板２１と、この基板２１に実装された光源としての複数の発光素子２２とを備えている。
【００１７】
基板２１は、所定の幅寸法を有して略サークル状に形成されている。基板２１は、絶縁材であるガラスエポキシ樹脂（ＦＲ−４）の平板からなり、表面側には銅箔によって配線パターンが形成されている。発光素子２２は、この配線パターンに電気的に接続されるようになっている。また、配線パターンの上、つまり、基板２１の表面には反射層として作用する白色のレジスト層が形成されている。
【００１８】
なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００１９】
発光素子２２は、ＬＥＤであり、表面実装型のＬＥＤパッケージである。このＬＥＤパッケージが複数個サークル状の基板２１の周方向に沿って、複数列、本実施形態では、半径の異なる略同心円の周上に２列に亘って実装されている。
【００２０】
ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００２１】
ＬＥＤパッケージには、発光色が昼光色のものと電球色のものとが用いられており、これらが円周上に略等間隔を空けて交互に並べられて配設されている。ＬＥＤチップは、青色光を発光するＬＥＤチップである。透光性樹脂には、蛍光体が混入されており、昼光色、電球色の白色系の光を出射できるようにするために、主として青色の光とは補色の関係にある黄色系の光を放射する黄色蛍光体が使用されている。
【００２２】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００２３】
このように構成された光源部２は、基板２１が装置本体１の平坦部１２の前面側に位置して、発光素子２２の実装面が前面側、すなわち、下方の照射方向に向けられて配設されている。また、基板２１の裏面側が装置本体１の平坦部１２に密着するように例えば、ねじ等の固定手段によって取付けられている。したがって、基板２１は、装置本体１と熱的に結合され、基板２１からの熱が裏面側から装置本体１に伝導され放熱されるようになっている。
【００２４】
副光源部３は、光の演出性を高めるために用いられる光源部であり、複数の基板３１と、この複数の各基板３１に実装された光源としての発光素子３２とを備えている。基板３１は、ガラスエポキシ樹脂（ＦＲ−４）等の絶縁材からなり、略四角形状であり、表面側には発光素子３２が接続される配線パターンが形成されている。
【００２５】
発光素子３２は、主光源部２と同様に、ＬＥＤであり、表面実装型のＬＥＤパッケージである。ＬＥＤパッケージには、発光色が白色系のものが用いられており、このＬＥＤパッケージが各基板３１に実装されている。
【００２６】
このような発光素子３２が実装された複数の基板３１は、装置本体１の開口１１の縁部及び平坦部１３における前面側に配設されており、開口１１を中心として略放射状に配置されている（図７を併せて参照）。
【００２７】
なお、基板３１は、サークル状の１枚の基板として、この基板にＬＥＤパッケージを実装するようにしてもよく、また、ＬＥＤは、ＬＥＤチップを直接基板に実装するように構成してもよい。さらに、砲弾型のＬＥＤを実装するようにしてもよく、発光素子の実装方式や形式は、格別限定されるものではない。
【００２８】
間接光光源部４は、装置本体１の背面側に配設されていて、主として天井面を明るく照らすための光源部である。図２及び図３に示すように、間接光光源部４は、取付部６及び点灯装置５の周囲に位置して複数個配設されており、基板４１と、この基板４１に実装された複数の発光素子４２とを備えている。
基板４１は、略長方形状の平板に形成されており、発光素子４２は、この基板４１の長手方向に沿って直線状に並べられて実装されている。
【００２９】
具体的には、装置本体１の背面側には、間接光光源部４を取付けるための台座４３が複数個配設されている。この台座４３は、外側方向の面が傾斜面に形成されていて、この傾斜面に発光素子４２が実装された基板４１が取付けられている。したがって、基板４１は、斜め上方、つまり、天井面方向に向けられることとなり、発光素子４２から出射される光は、天井面方向に向かって照射されるようになる。さらに、複数の間接光光源部４は、円形環状の透光性のカバー４４に覆われるようになっている。
発光素子４２は、前記主光源部２と同様に、ＬＥＤであり、表面実装型のＬＥＤパッケージであって、例えば、発光色が電球色のものが用いられている。
【００３０】
点灯装置５は、図３に示すように、回路基板と、この回路基板に実装された制御用ＩＣ、トランス、コンデンサ等の回路部品とを備えている。回路基板は、中央部の周囲を囲むように板状に形成されていて、その表面側に回路部品が実装されている。
【００３１】
回路基板には、アダプタＡ側が電気的に接続されて、アダプタＡを介して商用交流電源に接続される。したがって、点灯装置５は、この交流電源を受けて直流出力を生成し、リード線を介してその直流出力を主光源部２、副光源部３や間接光光源部４に供給し、これらを点灯制御するようになっている。
【００３２】
このような点灯装置５は、図２の参照を加えて示すように、点灯装置カバー５５に取付けられ覆われて、装置本体１の背面側に配置されるようになる。この場合、回路基板は、回路部品が前面側（図示上、下方側）に向けられて取付けられる。
点灯装置カバー５５は、冷間圧延鋼板等の金属材料によって略短円筒状に形成され、前面側のフランジが装置本体１に載置され、ねじ止めされて取付けられる。
【００３３】
また、点灯装置カバー５５の背面側には、複数の弾性部材５６が取付けられている。この弾性部材５６は、例えば、ばね性を有するステンレス鋼等の金属板から作られていて、先端側が中央部方向に向けられて取付けられている。
【００３４】
弾性部材５６は、照明装置が装置取付面としての天井面Ｃに取付けられた状態において、天井面Ｃとの間に弾性変形を伴って介在するように配設される部材であり、照明装置を天井面Ｃに確実に保持する作用をなしている。
【００３５】
取付部６は、アダプタガイドであり、アダプタＡが挿通し係合する部材であり、照明装置を天井面Ｃに取付けるための部材である。アダプタガイドは、図３に示すように、略円筒状に形成され、中央部には、アダプタＡが挿通し、係合する係合口６１が設けられている。このアダプタガイドは、装置本体１の中央部に形成された開口１１に対応して配設されている。
【００３６】
なお、取付部６は、必ずしもアダプタガイド等と指称される部材である必要はない。例えば、装置本体１等に形成される開口であってもよく、要は、配線器具としての引掛けシーリングボディＣｂに対向し、アダプタＡが係合される部材や部分を意味している。
反射体７は、図３乃至図５に示すように、金属板材料によって折曲して作られていて、中央部から前面側に向かって拡開するように略錐体状に形成されている。
【００３７】
より詳しくは、少なくとも前面側、すなわち、ハーフミラー８側は、反射面７１として形成されており、この反射面７１は、三角形状の複数の面、すなわち、三角形状の１２面がその頂角の部分を中心に集合させて組合わされた多面形状をなしている。
【００３８】
また、反射面７１には、複数の透光性部７２が形成されている。透光性部７２は、反射面７１の前面側から背面側へ貫通する多数の小孔であり、この小孔が反射面７１の略全域にわたってランダムな配置で形成されている。ここで、ランダムな配置とは、例えば、円周上に等間隔な配置で整然と並べられて配置されていないこと等を意味している。なお、透光性部７２の大きさは、大小変化させるようにしてもよい。
【００３９】
また、反射面７１の前面側の端縁は円形状に形成されており、この端縁から背面方向には、起立状の側壁７３が形成されている。さらに、端縁には、複数個の係合孔７４が形成されており、この係合孔７４は、径大部７４ａと、この径大部７４ａから連続して形成された縮小部７４ｂとから構成されている。さらにまた、反射体７の背面側には、背面方向に突出する複数の支持突起７５が形成されている。
このように構成された反射体７は、頂部が装置本体１の開口１１に位置され、副光源部３の前面側に配設されている。
【００４０】
ハーフミラー８は、図１、図３及び図６に示すように、円板状をなしていて、前面側及び背面側の２枚のハーフミラー８１、８２を接合するようにして形成されている。ハーフミラー８は、例えば、透明なアクリル樹脂等の一面に反射膜８３として錫や銀等の金属をごく薄く蒸着して作られている。
【００４１】
前面側のハーフミラー８１における外周部には、前記反射体７の係合孔７４と対応して複数の係合ピン８４が形成されている。したがって、この係合ピン８４を係合孔７４の径大部７４ａから挿入して回動し、係合ピン８４を縮小部７４ｂに移動させることにより、これらが確実に係合し、ハーフミラー８は、反射体７の前面側に取付けられるようになる。
【００４２】
セード９は、主光源部２の前面側を覆うようになっていて、アクリル樹脂等の透光性を有し、乳白色を呈する拡散性を備えた材料から概略リング状に形成されている。さらに、中央部には円形状の開口を有し、この開口の縁部には、円周方向に亘ってフランジ９１が形成されている。また、セード９の外周部には、セード化粧枠９２が取付けられていて、このセード化粧枠９２は、アクリル樹脂等からなる透明材料から形成されている。
【００４３】
そして、前記フランジ９１は、反射体７における側壁７３の外周に結合され取付けられている。つまり、本実施形態においては、セード９、反射体７及びハーフミラー８は、一体化された構成となっている。
【００４４】
このように一体化されたセード９は、装置本体１の外周縁部に着脱可能に取付けられるようになっている。具体的には、セード９を回動することによって、セード９に設けられたセード取付金具９４を、装置本体１の突出部１４によって形成された凹部に設けられたセード受金具９５に係合することにより取付けられる。
【００４５】
また、セード９を取外す場合には、セード９を取付時とは反対方向に回動して、セード取付金具７４とセード受金具９５との係合を解くことにより、取外すことができる。
【００４６】
なお、セード９と反射体７とを一体化することなく、例えば、反射体７を装置本体１側に取付け固定し、セード９は、単体として装置本体１に対して着脱できるようにしてもよい。
【００４７】
アダプタＡは、図３に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置５へ接続する電源コードが導出されていて、点灯装置５とコネクタを介して接続されるようになっている。
【００４８】
赤外線リモコン送信器Ｒｃは、例えば、周波数３８ｋＨｚのパルス状の特定のコード化された赤外線リモコン制御信号を送信するもので、例えば、モード切替えボタン、全光点灯ボタン、調光点灯ボタンや消灯ボタン等が設けられている。このリモコン送信器Ｒｃを図示しない赤外線リモコン信号受信部に向けて操作することによって主光源部２、副光源部３及び間接光光源部４の照明状態を制御することができる。
【００４９】
このように構成された照明装置において、図３に代表して示すように、反射体７は、副光源部７とハーフミラー８との間に介在されるようになっている。また、この場合、図７に示すように反射体７に形成された透光性部７２はランダムに配置されているため、副光源部７の複数の点状光源である発光素子３２との位置関係において、基本的には、透光性部７２と発光素子３２とが一致する位置関係にはなく、偶然的に一致する場合があるにすぎない。
【００５０】
したがって、反射体７は、ハーフミラー８に向かって拡開するように略錐体状に形成されているため、各発光素子３２と透光性部７２との距離が異なるようになり、また、発光素子３２と透光性部７２との位置が一致したり、しなかったり、さらに、これらの場合にも、そのずれの程度が様々な態様となって構成されることとなる。
【００５１】
次に、照明装置の天井面Ｃへの取付状態について図３を参照して説明する。まず、予め天井面Ｃに設置されている引掛けシーリングボディＣｂにアダプタＡを電気的かつ機械的に接続する。照明装置のセード９及び反射体７を取外した状態において、アダプタガイドの係合口６１をアダプタＡに合わせながら、アダプタＡの係止部Ａ1がアダプタガイドの係合口６１に確実に係合するまで装置本体１を弾性部材５６の弾性力に抗して下方から手で押し上げて取付け操作を行う。次いで、セード９及び反射体７を取付ける。
【００５２】
また、照明装置を取外す場合には、セード９及び反射体７を取外し、装置本体１の開口１１を通じてアダプタＡに設けられているレバーを操作してアダプタＡの係止部Ａ1の係合を解くことにより取外すことができる。
【００５３】
照明装置の天井面Ｃへの取付状態において、点灯装置５に電力が供給され、例えば、赤外線リモコン送信器Ｒｃを操作して全点灯状態が選択されると、主光源部２における基板２１を介して発光素子２２に通電され、各発光素子２２が点灯する。発光素子２２から前面側へ出射された光は、セード９を透過して拡散されて外方へ照射される。したがって、所定の配光範囲で下方が照明されるようになる。
【００５４】
また、これと同時に、間接光光源部４に通電され、各発光素子４２が点灯し、発光素子４２から斜め上方に出射された光は、透光性のカバー４４を透過し、主として天井面に照射される。したがって、天井面が明るくなり、空間の明るさ感を向上させることができる。
【００５５】
また、副光源部３は、主光源部２が消灯されている場合に点灯状態とすることができるようになっている。副光源部３を点灯状態とすると、副光源部３における基板３１を介して発光素子３２に通電され、各発光素子３２が点灯する。
【００５６】
各発光素子３２が点灯すると、図３において、破線の矢印で示すように、各発光素子３２から出射される光のうち、反射体７の透光性部７２を通過した光は、ハーフミラー８の反射膜８３によって反射される。さらに、この反射膜８３によって反射された反射光は反射体７の反射面７１によって反射され、これが繰り返されて多重反射されるようになる。
【００５７】
また、反射体７の反射面７１は、ハーフミラー８に向かって拡開するように略錐体状であり、かつ多面形状をなしているので、ハーフミラー８の反射膜８３によって反射された反射光は反射面７１によって反射方向が多様な方向となり乱反射されるようになる。
【００５８】
したがって、多重反射と乱反射とが重畳し、光がデザインされ、ハーフミラー８を通してあたかも星空のようなイルミネーションを表現することができる。具体的には、三次元的な空間に多数の星がきらめくように立体感をもって、しかも各星の輝度が異なるように表現されるようになる。
【００５９】
この各星の輝度が異なるように表現される現象は、副光源部３の発光素子３２から出射される光の指向性が強く、また、前述のように、発光素子３２と透光性部７２との位置のずれの程度が様々な態様となって構成されていることが助長しているものと考えられる。
【００６０】
また、主光源部２及び副光源部３における発光素子２２、３２の点灯中は、熱が発生する。この熱は、装置本体１に伝導され、装置本体１の広い面積で放熱されるようになる。したがって、発光素子２２、３２の温度上昇を効果的に抑制することができる。
【００６１】
以上のように本実施形態によれば、光がデザインされて、あたかも星空のようなイルミネーションを表現することができ、演出効果を高め、付加価値を高めることが可能な照明装置を提供することができる。
【００６２】
なお、本発明は、上記実施形態の構成に限定されることなく、発明の要旨を逸脱しない範囲で種々の変形が可能である。また、上記実施形態は、一例として提示したものであり、発明の範囲を限定することは意図していないものである。
【符号の説明】
【００６３】
１・・・装置本体（シャーシ）、２・・・主光源部、
３・・・副光源部、４・・・間接光光源部、
５・・・点灯装置、６・・・取付部（アダプタガイド）、
７・・・反射体、８・・・ハーフミラー、
９・・・セード、２１・・・主光源部の基板、
２２・・・主光源部の発光素子（ＬＥＤ）、３１・・・副光源部の基板、
３２・・・副光源部の発光素子（ＬＥＤ）、７１・・・反射面、
７２・・・透光性部（小孔）、８３・・・反射膜、
Ａ・・・アダプタ、Ｃ・・・装置取付面（天井面）、
Ｃｂ・・・配線器具（引掛けシーリングボディ）、
Ｒｃ・・・赤外線リモコン送信器
【図１】
2013073734.tif 000003
【図２】
2013073734.tif 000004
【図３】
2013073734.tif 000005
【図４】
2013073734.tif 000006
【図５】
2013073734.tif 000007
【図６】
2013073734.tif 000008
【図７】
2013073734.tif 000009